(57)【要約】【課題】導光部材と光源との相対的な位置精度の向上を図ることができる画像形成装置を提供すること。【解決手段】プリンタ１に、光源９０を有する装置本体２と、装置本体２に着脱可能であるドラムカートリッジ１１とを備える。ドラムカートリッジ１１に、１対のリブ３８と、左右方向に延びる感光ドラム１４と、感光ドラム１４を除電するための光を、光源９０から感光ドラム１４の表面に導くライトガイド１８とを備える。光源９０に、ドラムカートリッジ１１が装置本体２に装着された状態で、１対のリブ３８と係合する挿入部９４を備える。そして、光源９０を、左右方向に移動可能に構成し、ドラムカートリッジ１１が装置本体２に装着された状態で、ライトガイド１８よりも装着方向Ｙの下流に配置する。そして、１対のリブ３８と挿入部９４とが係合した状態で、光源９０の左右方向の移動を規制する。【選択図】図７
2015194570.tif 000002
【特許請求の範囲】
【請求項１】
光源を有する装置本体と、
前記装置本体に着脱可能である感光体カートリッジとを備え、
前記感光体カートリッジは、
第１係合部と、
前記装置本体に対する感光体カートリッジの装着方向と直交する直交方向に延び、静電潜像を担持するように構成される表面を有する感光体と、
前記感光体を除電するための光を、前記光源から前記感光体の表面に導くように構成される導光部材とを備え、
前記光源は、
前記直交方向に移動可能に構成され、
前記感光体カートリッジが前記装置本体に装着された状態で、前記導光部材よりも前記装着方向の下流に配置され、
前記感光体カートリッジが前記装置本体に装着された状態で、前記第１係合部と係合するように構成される第２係合部を有し、
前記第１係合部は、前記第２係合部と係合した状態で、前記光源の前記直交方向の移動を規制して、前記導光部材と前記光源とを相対的に位置決めするように構成されていることを特徴とする、画像形成装置。
【請求項２】
前記第１係合部は、前記直交方向に互いに間隔を空けて配置される１対の壁部であることを特徴とする、請求項１に記載の画像形成装置。
【請求項３】
前記光源は、前記装置本体に装着される前記感光体カートリッジに対して、前記装着方向の下流に配置され、
前記第１係合部は、前記感光体カートリッジにおける前記装着方向の下流部分に配置されていることを特徴とする、請求項１または２に記載の画像形成装置。
【請求項４】
前記感光体カートリッジは、前記感光体および前記導光部材を支持するカートリッジフレームを備え、
前記第１係合部は、前記カートリッジフレームに備えられていることを特徴とする請求項１〜３のいずれか一項に記載の画像形成装置。
【請求項５】
前記光源は、
光を出射するように構成される出射部と、
前記出射部を支持する支持部とを備え、
前記第２係合部は、前記支持部に備えられていることを特徴とする、請求項１〜４のいずれか一項に記載の画像形成装置。
【請求項６】
前記第１係合部は、前記第２係合部との係合をガイドするように構成される第１傾斜部を有していることを特徴とする、請求項１〜５のいずれか一項に記載の画像形成装置。
【請求項７】
前記第２係合部は、前記第１係合部との係合をガイドするように構成される第２傾斜部を有していることを特徴とする、請求項１〜６のいずれか一項に記載の画像形成装置。
【請求項８】
前記導光部材は、
前記直交方向と交差する方向へ延び、前記光源からの光を入射されるように構成される第１部分と、
前記直交方向に延び、前記感光体と向かい合うように配置される第２部分と、
前記第１部分と前記第２部分との間において、前記第１部分を通過した光を、前記第２部分に導くように光の進む方向を変更するように構成される第３部分とを備えていることを特徴とする、請求項１〜７のいずれか一項に記載の画像形成装置。
【請求項９】
光源を有する装置本体と、
前記装置本体に着脱可能である感光体カートリッジとを備え、
前記感光体カートリッジは、
前記装置本体に対する感光体カートリッジの装着方向と直交する直交方向に延び、静電潜像を担持するように構成される表面を有する感光体と、
前記感光体を除電するための光を、前記光源から前記感光体の表面に導くように構成される導光部材とを備え、
前記導光部材は、
第１係合部を有し、
前記直交方向に移動可能に構成され、
前記光源は、前記感光体カートリッジが前記装置本体に装着された状態で、前記第１係合部と係合するように構成される第２係合部を有し、
前記第２係合部は、前記第１係合部と係合した状態で、前記導光部材の前記直交方向の移動を規制して、前記光源と前記導光部材とを相対的に位置決めするように構成されていることを特徴とする、画像形成装置。
【請求項１０】
前記光源は、
光を発光するように構成される出射部と、
前記出射部を支持する支持部とを備え、
前記第２係合部は、前記支持部に備えられていることを特徴とする、請求項９に記載の画像形成装置。
【請求項１１】
前記第１係合部は、前記第２係合部との係合をガイドするように構成される第１傾斜部を有していることを特徴とする、請求項９または１０に記載の画像形成装置。
【請求項１２】
前記第２係合部は、前記第１係合部との係合をガイドするように構成される第２傾斜部を有していることを特徴とする、請求項９〜１１のいずれか一項に記載の画像形成装置。
【請求項１３】
前記光源は、前記装置本体に装着される前記感光体カートリッジに対して、前記装着方向の下流に配置され、
前記第１係合部は、前記感光体カートリッジにおける前記装着方向の下流部分に配置されていることを特徴とする、請求項９〜１２のいずれか一項に記載の画像形成装置。
【請求項１４】
前記導光部材は、
前記直交方向と交差する方向へ延び、前記光源からの光を入射されるように構成される第１部分と、
前記直交方向に延び、前記感光体と向かい合うように配置される第２部分と、
前記第１部分と前記第２部分との間において、前記第１部分を通過した光を、前記第２部分に導くように光の進む方向を変更するように構成される第３部分とを備えていることを特徴とする、請求項１３に記載の画像形成装置。
【発明の詳細な説明】
【技術分野】
【０００１】
本発明は、電子写真方式が採用される画像形成装置に関する。
【背景技術】
【０００２】
従来の電子写真方式の画像形成装置として、装置本体と、感光ドラムおよび帯電器を備え、装置本体に着脱可能なドラムユニットと、現像ローラを備え、ドラムユニットに着脱可能な現像カートリッジと、感光ドラムを露光する露光器とを備えるプリンタが知られている。
【０００３】
このようなプリンタでは、帯電器が感光ドラムの表面を帯電させた後、露光器が感光ドラムの表面の電荷を選択的に除去して、感光ドラムの表面に静電潜像を形成し、現像ローラが、感光ドラムの静電潜像にトナーを供給して、感光ドラムの表面にトナー像を形成する。そして、感光ドラムの表面のトナー像が、用紙に転写されることにより、用紙に画像が形成される。
【０００４】
しかるに、トナー像が用紙に転写された後において、感光ドラムの表面に残留する電荷は、次に感光ドラムの表面に形成される静電潜像に影響する場合があり、それに起因する画像形成不良が生じる場合がある。そこで、感光ドラムの表面から電荷を除去することが検討されている。
【０００５】
例えば、感光ドラムと向かい合うようにドラムユニットに支持され、左右方向に延びる棒状のライトガイドと、装置本体において、ライトガイドの右方に配置される光源とを備えるプリンタが提案されている（例えば、特許文献１参照）。
【０００６】
そのようなプリンタでは、光源からの光が、ライトガイドの右端面から入射された後、ライトガイドに導かれて、感光ドラムの表面を照射する。これによって、感光ドラムの表面から残留電荷が除去される。
【先行技術文献】
【特許文献】
【０００７】
【特許文献１】特開２０１１−２２７４２５号公報
【発明の概要】
【発明が解決しようとする課題】
【０００８】
しかし、特許文献１に記載のプリンタでは、光源が装置本体に支持され、ライトガイドがドラムユニットに支持されているので、ライトガイドはドラムユニットの装置本体に対する着脱に伴って移動する。そのため、ドラムユニットが装置本体に装着された状態で、光源とライトガイドとの相対的な位置精度を十分に確保できず、光源からの光が、ライトガイドに精度よく入射されない場合がある。この場合、感光ドラムを十分に除電できないという不具合がある。
【０００９】
そこで、本発明の目的は、導光部材と光源との相対的な位置精度の向上を図ることができる画像形成装置を提供することにある。
【課題を解決するための手段】
【００１０】
（１）本発明の画像形成装置は、光源を有する装置本体と、装置本体に着脱可能である感光体カートリッジとを備えている。感光体カートリッジは、第１係合部と、装置本体に対する感光体カートリッジの装着方向と直交する直交方向に延び、静電潜像を担持するように構成される表面を有する感光体と、感光体を除電するための光を、光源から感光体の表面に導くように構成される導光部材とを備えている。光源は、直交方向に移動可能に構成され、感光体カートリッジが装置本体に装着された状態で、導光部材よりも装着方向の下流に配置され、感光体カートリッジが装置本体に装着された状態で、第１係合部と係合するように構成される第２係合部を有している。第１係合部は、第２係合部と係合した状態で、光源の直交方向の移動を規制して、導光部材と光源とを相対的に位置決めするように構成されている。
【００１１】
このような構成によれば、光源が感光体カートリッジの装着方向と直交する直交方向に移動可能に構成されているので、感光体カートリッジが、装置本体に装着されるときに、直交方向にガタついても、光源が感光体カートリッジのガタつきを吸収でき、感光体カートリッジの第１係合部と光源の第２係合部とを確実に係合させることができる。
【００１２】
そして、感光体カートリッジが装置本体に装着された状態で、第１係合部と第２係合部とが係合することにより、光源の直交方向の移動が規制され、導光部材と光源とが相対的に位置決めされる。そのため、感光体カートリッジが装置本体に装着された状態で、導光部材と光源との相対的な位置精度の向上を図ることができる。
【００１３】
また、光源は、感光体カートリッジが装置本体に装着された状態で、導光部材よりも装着方向の下流に配置されているので、光源が、導光部材と直交方向に並ぶ場合と比較して、画像形成装置の直交方向の小型化を図ることができる。
【００１４】
従って、感光体カートリッジの第１係合部と光源の第２係合部とを確実に係合させることができ、導光部材と光源との相対的な位置精度の向上を図ることができながら、画像形成装置の直交方向の小型化を図ることができる。
（２）第１係合部は、直交方向に互いに間隔を空けて配置される１対の壁部であってもよい。
【００１５】
このような構成によれば、第１係合部が１対の壁部であるので、簡易な構成でありながら、１対の壁部と第２係合部とを確実に係合させることができる。
（３）光源は、装置本体に装着される感光体カートリッジに対して、装着方向の下流に配置されてもよい。この場合、第１係合部は、感光体カートリッジにおける装着方向の下流部分に配置されている。
【００１６】
このような構成によれば、光源が、装置本体に装着される感光体カートリッジに対して、装着方向の下流に配置され、第１係合部が、感光体カートリッジにおける装着方向の下流部分に配置されているので、感光体カートリッジを装置本体に装着することにより、第１係合部を、光源の第２係合部と確実に係合させることができる。
（４）感光体カートリッジは、感光体および導光部材を支持するカートリッジフレームを備えていてもよい。この場合、第１係合部は、カートリッジフレームに備えられている。
【００１７】
このような構成によれば、第１係合部が、導光部材を支持するカートリッジフレームに備えられているので、第１係合部と導光部材との相対的な位置関係を一定に保つことができる。
【００１８】
そのため、第１係合部と第２係合部とが係合したときに、導光部材と光源との相対的な位置決め精度を確実に向上させることができる。
（５）光源は、光を出射するように構成される出射部と、出射部を支持する支持部とを備えていてもよい。この場合、第２係合部は、支持部に備えられている。
【００１９】
このような構成によれば、第２係合部が、出射部を支持する支持部に備えられているので、第２係合部と出射部との相対的な位置関係を一定に保つことができる。
【００２０】
そのため、第１係合部と第２係合部とが係合したときに、導光部材と出射部との相対的な位置決め精度をより一層確実に向上させることができる。
（６）第１係合部は、第２係合部との係合をガイドするように構成される第１傾斜部を有していてもよい。
【００２１】
このような構成によれば、感光体カートリッジが装置本体に装着されるときに、第１係合部の第１傾斜部が、第１係合部と第２係合部との係合をガイドする。そのため、第１係合部と第２係合部とを円滑に係合させることができる。
（７）第２係合部は、第１係合部との係合をガイドするように構成される第２傾斜部を有していてもよい。
【００２２】
このような構成によれば、感光体カートリッジが装置本体に装着されるときに、第２係合部の第２傾斜部が、第１係合部と第２係合部との係合をガイドする。そのため、第１係合部と第２係合部とをより一層円滑に係合させることができる。
（８）導光部材は、直交方向と交差する方向へ延び、光源からの光を入射されるように構成される第１部分と、直交方向に延び、感光体と向かい合うように配置される第２部分と、第１部分と第２部分との間において、第１部分を通過した光を、第２部分に導くように光の進む方向を変更するように構成される第３部分とを備えていてもよい。
【００２３】
このような構成によれば、導光部材の第１部分は、光源から入射された光を直交方向と交差する方向へ進むように導き、導光部材の第３部分は、第１部分を通過した光を、第２部分に向かうように、光の進む方向を変更する。その後、導光部材の第２部分は、その内部を進行する光を感光体の表面に導き、感光体の表面の電荷が除去される。
【００２４】
つまり、光源が、感光体カートリッジが装置本体に装着された状態で、導光部材よりも装着方向の下流に配置されても、導光部材の第１部分を、光源と、直交方向と交差する方向に並ぶように配置することにより、感光体の表面の電荷を除去できる。
【００２５】
そのため、画像形成装置の直交方向の小型化を図ることができながら、感光体の表面の電荷を確実に除去できる。
（９）本発明の画像形成装置は、光源を有する装置本体と、装置本体に着脱可能である感光体カートリッジとを備えている。感光体カートリッジは、装置本体に対する感光体カートリッジの装着方向と直交する直交方向に延び、静電潜像を担持するように構成される表面を有する感光体と、感光体を除電するための光を、光源から感光体の表面に導くように構成される導光部材とを備えている。導光部材は、第１係合部を有し、直交方向に移動可能に構成されている。光源は、感光体カートリッジが装置本体に装着された状態で、第１係合部と係合するように構成される第２係合部を有している。第２係合部は、第１係合部と係合した状態で、導光部材の直交方向の移動を規制して、光源と導光部材とを相対的に位置決めするように構成されている。
【００２６】
このような構成によれば、導光部材が感光体カートリッジの装着方向と直交する直交方向に移動可能に構成されているので、感光体カートリッジが、装置本体に装着されるときに、直交方向にガタついても、導光部材が感光体カートリッジのガタつきを吸収でき、導光部材の第１係合部と光源の第２係合部とを確実に係合させることができる。
【００２７】
そして、感光体カートリッジが装置本体に装着された状態で、第１係合部と第２係合部とが係合することにより、導光部材の直交方向の移動が規制され、導光部材と光源とが相対的に位置決めされる。そのため、感光体カートリッジが装置本体に装着された状態で、導光部材と光源との相対的な位置精度の向上を図ることができる。
【００２８】
従って、感光体カートリッジの第１係合部と光源の第２係合部とを確実に係合させることができ、導光部材と光源との相対的な位置精度の向上を図ることができる。
（１０）光源は、光を発光するように構成される出射部と、出射部を支持する支持部とを備えていてもよい。この場合、第２係合部は、支持部に備えられている。
【００２９】
このような構成によれば、第２係合部が、出射部を支持する支持部に備えられているので、第２係合部と出射部との相対的な位置関係を一定に保つことができる。
【００３０】
そのため、第１係合部と第２係合部とが係合したときに、導光部材と光源との相対的な位置決め精度をより一層確実に向上させることができる。
（１１）第１係合部は、第２係合部との係合をガイドするように構成される第１傾斜部を有していてもよい。
【００３１】
このような構成によれば、感光体カートリッジが装置本体に装着されるときに、第１係合部の第１傾斜部が、第１係合部と第２係合部との係合をガイドする。そのため、第１係合部と第２係合部とを円滑に係合させることができる。
（１２）第２係合部は、第１係合部との係合をガイドするように構成される第２傾斜部を有していてもよい。
【００３２】
このような構成によれば、感光体カートリッジが装置本体に装着されるときに、第２係合部の第２傾斜部が、第１係合部と第２係合部との係合をガイドする。そのため、第１係合部と第２係合部とをより一層円滑に係合させることができる。
（１３）光源は、装置本体に装着される感光体カートリッジに対して、装着方向の下流に配置されていてもよい。この場合、第１係合部は、感光体カートリッジにおける装着方向の下流部分に配置されている。
【００３３】
このような構成によれば、光源は、装置本体に装着される感光体カートリッジよりも装着方向の下流に配置されているので、光源が、装置本体に装着される感光体カートリッジと、直交方向に並ぶ場合と比較して、画像形成装置の直交方向の小型化を図ることができる。
【００３４】
また、第１係合部が、感光体カートリッジにおける装着方向の下流部分に配置されているので、感光体カートリッジを装置本体に装着することにより、第１係合部を、光源の第２係合部に確実に係合させることができる。
（１４）導光部材は、直交方向と交差する方向へ延び、光源からの光を入射されるように構成される第１部分と、直交方向に延び、感光体と向かい合うように配置される第２部分と、第１部分と第２部分との間において、第１部分を通過した光を、第２部分に導くように光の進む方向を変更するように構成される第３部分とを備えていてもよい。
【００３５】
このような構成によれば、導光部材の第１部分は、光源から入射された光を直交方向と交差する方向へ進むように導き、導光部材の第３部分は、第１部分を通過した光を、第２部分に向かうように、光の進む方向を変更する。その後、導光部材の第２部分は、その内部を進行する光を感光体の表面に導き、感光体の表面の電荷が除去される。
【００３６】
つまり、光源が、装置本体に装着された感光体カートリッジよりも装着方向の下流に配置されても、導光部材の第１部分を、光源と、直交方向と交差する方向に並ぶように配置することにより、感光体の表面の電荷を除去できる。
【００３７】
そのため、画像形成装置の直交方向の小型化を図ることができながら、感光体の表面の電荷を確実に除去できる。
【発明の効果】
【００３８】
本発明の画像形成装置では、導光部材と光源との相対的な位置精度の向上を図ることができる。
【図面の簡単な説明】
【００３９】
【図１】図１は、本発明の画像形成装置の第１実施形態としてのプリンタの中央断面図を示す。
【図２】図２は、図１に示すドラムカートリッジを右上方から見た斜視図である。
【図３】図３は、図２に示すドラムカートリッジの背面図である。
【図４】図４は、図３に示すドラムカートリッジの中央断面図である。
【図５】図５Ａは、図４に示すライトガイドの背面図である。図５Ｂは、図５Ａに示すライトガイドの断面図である。
【図６】図６Ａは、図１に示す光源を左上方から見た斜視図である。図６Ｂは、図６Ａに示す光源を左下方から見た斜視図である。
【図７】図７Ａは、図１に示すドラムカートリッジおよび光源の右側面図である。図７Ｂは、図７Ａに示すＡ−Ａ断面に相当する断面図であって、光源の挿入部の切欠面と、リブ３８の傾斜面とが接触した状態を示す。図７Ｃは、図７Ａに示すＡ−Ａ断面に相当する断面図であって、光源の挿入部が、１対のリブの間に挿入された状態を示す。
【図８】図８Ａは、本発明の第２実施形態に係る光源およびライトガイドを前上方から見た斜視図である。図８Ｂは、図８Ａに示すＢ−Ｂ断面図である。図８Ｃは、図８Ｂに示すＣ−Ｃ断面図である。
【図９】図９Ａは、本発明の第３実施形態に係る光源およびライトガイドを前上方から見た斜視図である。図９Ｂは、図９Ａに示す光源およびライトガイドを側断面図であって、ドラムカートリッジが装置本体に装着された状態を示す。
【発明を実施するための形態】
【００４０】
１．プリンタの概略
画像形成装置の一例としてのプリンタ１は、電子写真方式のモノクロプリンタである。プリンタ１は、装置本体２と、プロセスカートリッジ３と、スキャナユニット４と、定着ユニット５とを備えている。
【００４１】
装置本体２は、略ボックス形状を有している。装置本体２は、本体開口６と、フロントカバー７と、給紙トレイ８と、排紙トレイ９とを有している。
【００４２】
本体開口６は、装置本体２の一端部に配置されている。本体開口６は、プロセスカートリッジ３の通過を許容するように、装置本体２の内外を連通している。
【００４３】
フロントカバー７は、装置本体２の一端部に配置されている。フロントカバー７は、略平板形状を有している。フロントカバー７は、上下方向に延び、その下端部を支点として装置本体２の一端部に揺動可能に支持されている。フロントカバー７は、本体開口６を開閉可能である。
【００４４】
なお、以下の説明では、フロントカバー７が配置される方を、プリンタ１の前方とし、その反対を、プリンタ１の後方とする。また、プリンタ１を前方から見たときを基準として左右を規定する。具体的には、各図に示す方向矢印を基準とする。さらに、後述するドラムカートリッジ１１に関しても、装置本体２に対する装着状態を基準として前後左右上下を規定する。また、左右方向が直交方向の一例であり、右方が、直交方向の一方の一例であり、左方が、直交方向の他方の一例である。
【００４５】
給紙トレイ８は、装置本体２の底部に配置されている。給紙トレイ８は、上方に向かって開放される略ボックス形状を有しており、用紙Ｐを収容可能である。
【００４６】
排紙トレイ９は、装置本体２の上面の前後方向略中央に配置されている。排紙トレイ９は、用紙Ｐが載置されるように、装置本体２の上面から下方へ凹んでいる。
【００４７】
プロセスカートリッジ３は、本体開口６を介して装置本体２に対して着脱可能であり、装置本体２に装着された状態で、装置本体２の側面視略中央に配置されている。プロセスカートリッジ３は、感光体カートリッジの一例としてのドラムカートリッジ１１と、現像カートリッジ１２とを備えている。つまり、ドラムカートリッジ１１は、プロセスカートリッジ３が装置本体２に着脱可能であることから、装置本体２に対して着脱可能である。
【００４８】
ドラムカートリッジ１１は、感光体の一例としての感光ドラム１４と、転写ローラ１５と、スコロトロン型帯電器１６とを備えている。
【００４９】
感光ドラム１４は、左右方向に延びる略円筒形状を有しており、ドラムカートリッジ１１の後方部分に回転可能に支持されている。転写ローラ１５は、左右方向に延びる略円柱形状を有しており、感光ドラム１４に対して下方に配置されている。転写ローラ１５の上端部は、感光ドラム１４の下端部と接触している。スコロトロン型帯電器１６は、感光ドラム１４に対して上方に間隔を空けて配置されている。
【００５０】
現像カートリッジ１２は、ドラムカートリッジ１１に着脱可能であって、ドラムカートリッジ１１に装着された状態において、感光ドラム１４の前方に配置される。現像カートリッジ１２は、現像ローラ１９と、供給ローラ２０と、層厚規制ブレード２１と、トナー収容部２２とを備えている。
【００５１】
現像ローラ１９は、現像カートリッジ１２の後端部に回転可能に支持されている。現像ローラ１９は、左右方向に延びる略円柱形状を有している。現像ローラ１９の後端部は、感光ドラム１４の前端部に接触している。
【００５２】
供給ローラ２０は、現像ローラ１９の前下方に配置されている。供給ローラ２０は、左右方向に延びる略円柱形状を有し、現像カートリッジ１２に回転可能に支持されている。供給ローラ２０は、現像ローラ１９の前下端部に接触している。
【００５３】
層厚規制ブレード２１は、現像ローラ１９の前上方に配置されている。層厚規制ブレード２１は、現像ローラ１９の前端部に接触している。
【００５４】
トナー収容部２２は、供給ローラ２０および層厚規制ブレード２１の前方に配置されている。トナー収容部２２は、トナーを収容するように構成されている。
【００５５】
スキャナユニット４は、プロセスカートリッジ３の上方に配置されている。スキャナユニット４は、感光ドラム１４に向けて画像データに基づくレーザービームを出射するように構成されている。
【００５６】
定着ユニット５は、プロセスカートリッジ３の後方に配置されている。定着ユニット５は、加熱ローラ２６と、加圧ローラ２７とを備えている。加圧ローラ２７は、加熱ローラ２６の下方に配置され、加圧ローラ２７の上端部は、加熱ローラ２６の下端部に圧接されている。
【００５７】
プリンタ１は、図示しない制御部の制御により、画像形成動作を開始する。プリンタ１が画像形成動作を開始すると、スコロトロン型帯電器１６は、感光ドラム１４の表面を一様に帯電する。スキャナユニット４は、感光ドラム１４の表面を露光する。これにより、画像データに基づく静電潜像が、感光ドラム１４の表面に形成され、担持される。
【００５８】
供給ローラ２０は、トナー収容部２２内のトナーを現像ローラ１９に供給する。このとき、トナーは、現像ローラ１９と供給ローラ２０との間で正極性に摩擦帯電され、現像ローラ１９に担持される。層厚規制ブレード２１は、現像ローラ１９に担持されたトナーの層厚を一定厚さに規制する。
【００５９】
そして、現像ローラ１９に担持されたトナーは、感光ドラム１４表面の静電潜像に供給される。これにより、トナー像が、感光ドラム１４の表面に担持される。
【００６０】
用紙Ｐは、給紙トレイ８から、各種ローラの回転により、所定のタイミングで１枚ずつ、感光ドラム１４と転写ローラ１５との間に給紙される。
【００６１】
感光ドラム１４表面のトナー像は、用紙Ｐが感光ドラム１４と転写ローラ１５との間を通過するときに、用紙Ｐに転写される。
【００６２】
その後、用紙Ｐは、後述する搬送ガイド部８９にガイドされて、加熱ローラ２６と加圧ローラ２７との間に到達する。そして、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ９に排紙される。
【００６３】
３．ドラムカートリッジの詳細
ドラムカートリッジ１１は、図２〜図４に示すように、上記の感光ドラム１４、転写ローラ１５およびスコロトロン型帯電器１６に加え、カートリッジフレームの一例としてのドラムフレーム１３と、クリーニングユニット５０と、導光部材の一例としてのライトガイド１８とを備えている。
（１）ドラムフレーム
ドラムフレーム１３は、図２に示すように、平面視略矩形の有底枠形状を有しており、図２〜図４に示すように、１対のドラム側壁３０と、ドラム前壁３１と、ドラム底壁３２と、転写収容部３３と、帯電収容部３４と、クリーナー収容部３５と、第１係合部および１対の壁部の一例としての１対のリブ３８とを備えている。
【００６４】
１対のドラム側壁３０は、図２に示すように、ドラムフレーム１３の左右両端部であって、左右方向に互いに間隔を空けて向かい合っている。１対のドラム側壁３０のそれぞれは、前後方向に延びる側面視略矩形の板状を有している。
【００６５】
ドラム前壁３１は、ドラムフレーム１３の前端部であって、１対のドラム側壁３０の前端部間に架設されている。ドラム底壁３２は、図４に示すように、ドラムフレーム１３の下端部であって、１対のドラム側壁３０の前方部分の下端部間に架設されている。ドラム底壁３２の前端部は、ドラム前壁３１の下端部に接続されている。
【００６６】
転写収容部３３は、ドラム底壁３２に対して後方に間隔を空けて配置されている。転写収容部３３は、上方に向かって開放される側面視略Ｕ字状を有しており、左右方向に延びている。転写収容部３３の左右両端部は、１対のドラム側壁３０の後方部分の下端部に接続されている。
【００６７】
帯電収容部３４は、転写収容部３３の上方に間隔を空けて配置されている。帯電収容部３４は、下方に向かって開放される側面視略Ｕ字状を有しており、左右方向に延びている。帯電収容部３４の左右両端部は、１対のドラム側壁３０の後方部分の上端部に接続されている。
【００６８】
クリーナー収容部３５は、ドラムフレーム１３の後端部であって、帯電収容部３４の後下方に隣接配置されている。クリーナー収容部３５は、前方に向かって開放される側面視略Ｕ字状を有しており、左右方向に延びている。クリーナー収容部３５の左右両端部は、１対のドラム側壁３０の後端部に接続されている。
【００６９】
また、クリーナー収容部３５は、図３および図４に示すように、収容部底壁３６を有している。収容部底壁３６は、クリーナー収容部３５の下端部であって、左右方向に延びる略板状を有している。詳しくは、収容部底壁３６は、平板部３６Ａと、傾斜部３６Ｂとを一体に有している。
【００７０】
平板部３６Ａは、図４に示すように、収容部底壁３６における右端部以外の部分であって、前後方向に沿って延びている。
【００７１】
傾斜部３６Ｂは、図３に示すように、収容部底壁３６における右端部であって、前下方および後上方を結ぶ方向に延びている。また、傾斜部３６Ｂは、開口部３７を有している。
【００７２】
開口部３７は、傾斜部３６Ｂの略中央に配置されている。開口部３７は、後下方から見て略矩形状を有しており、傾斜部３６Ｂを前上方および後下方を結ぶ方向に貫通している。
【００７３】
１対のリブ３８は、ドラムフレーム１３の後下端部における右端部に配置されている。つまり、１対のリブ３８は、図７Ａ〜図７Ｃに示すように、装置本体２に対するドラムカートリッジ１１の装着方向Ｙの下流部分に配置されている。
【００７４】
１対のリブ３８は、図３に示すように、開口部３７を挟むように、左右方向に互いに間隔を空けて配置されている。１対のリブ３８のそれぞれは、図７Ａに示すように、側面視略矩形の板状を有している。１対のリブ３８のうち右方のリブ３８は、右方のドラム側壁３０に一体であって、右方のドラム側壁３０の後下端部から連続して、後下方に向かって突出している。
【００７５】
また、１対のリブ３８のうち左方のリブ３８は、図７Ｃに示すように、右方のリブ３８に対して、左方に間隔を空けて配置されている。左方のリブ３８は、傾斜部３６Ｂと一体であって、傾斜部３６Ｂの下面における左端部から、後下方に向かって突出している。
【００７６】
１対のリブ３８のそれぞれは、第１傾斜部の一例としての傾斜面３９を有している。傾斜面３９は、リブ３８の後下端部における左右方向内方部分に配置されており、リブ３８の後下端縁から、前上方に向かうにつれて左右方向の内方に向かうように傾斜している。
（２）感光ドラム、転写ローラおよびスコロトロン型帯電器
また、ドラムフレーム１３は、図４に示すように、１対のドラム側壁３０の間において、感光ドラム１４、転写ローラ１５、スコロトロン型帯電器１６およびクリーニングユニット５０を支持している。
【００７７】
感光ドラム１４は、クリーナー収容部３５の前方において、転写収容部３３と帯電収容部３４との間に配置されている。感光ドラム１４は、左右方向に延びる略円筒状の金属からなる素管と、素管の周面を被覆する感光層とを有している。
【００７８】
転写ローラ１５は、転写収容部３３内に収容されている。転写ローラ１５は、その左右両端部が１対のドラム側壁３０に回転可能に支持されることによって、ドラムフレーム１３に支持されている。スコロトロン型帯電器１６は、帯電収容部３４内において、帯電収容部３４に支持されている。
（３）クリーニングユニット
クリーニングユニット５０は、クリーナー収容部３５内に収容されており、感光ドラム１４の後方に配置されている。
【００７９】
クリーニングユニット５０は、クリーニングフレーム５１と、クリーニングローラ１７と、回収ローラ５２と、スポンジスクレーパ５４とを備えている。
【００８０】
クリーニングフレーム５１は、不透明であり、かつ、光を反射する色を有する樹脂、具体的には、白色樹脂からなる。クリーニングフレーム５１は、フレーム本体５５と、ライトガイド支持部５６とを一体に有している。
【００８１】
フレーム本体５５は、前方に向かって開放される略ボックス形状を有している。
【００８２】
ライトガイド支持部５６は、フレーム本体５５の底壁５５Ａに対して前方に隣接配置されている。ライトガイド支持部５６は、側面視において、感光ドラム１４に向かって開放される略Ｕ字状を有している。そして、ライトガイド支持部５６の後壁における上下方向の略中央部分は、フレーム本体５５の底壁５５Ａの前端部に接続されている。なお、図示しないが、ライトガイド支持部５６の左端部は閉鎖されており、ライトガイド支持部５６の右端部は開放されている。
【００８３】
クリーニングローラ１７は、感光ドラム１４の周面に付着する付着物を除去するように構成され、ライトガイド支持部５６の上方において、その後方部分がフレーム本体５５内に臨み、その前方部分がフレーム本体５５から露出するように配置されている。これによって、クリーニングローラ１７は、感光ドラム１４の後方に配置されている。
【００８４】
クリーニングローラ１７は、左右方向に延びる略円柱形状を有している。そして、クリーニングローラ１７は、その左右両端部が、フレーム本体５５の左右両側壁に回転可能に支持されることによって、クリーニングフレーム５１に支持されている。クリーニングローラ１７の前下端部は、感光ドラム１４の後上端部に接触している。
【００８５】
回収ローラ５２は、フレーム本体５５内において、クリーニングローラ１７の後上方に配置されている。回収ローラ５２は、左右方向に延びる略円柱形状を有している。そして、回収ローラ５２は、その左右両端部が、フレーム本体５５の左右両側壁に回転可能に支持されることによって、クリーニングフレーム５１に支持されている。回収ローラ５２の前下端部は、クリーニングローラ１７の後上端部と接触している。
【００８６】
スポンジスクレーパ５４は、フレーム本体５５内において、フレーム本体５５の上壁と回収ローラ５２との間に挟まれている。そして、スポンジスクレーパ５４は、フレーム本体５５の上壁の下面に固定されており、スポンジスクレーパ５４の下面は、回収ローラ５２の上方部分と接触している。
【００８７】
このようなクリーニングユニット５０は、上記の画像形成動作において、後述する除電動作の後、感光ドラム１４上に付着している紙粉などの付着物を回収する。そこで、クリーニングユニット５０のクリーニング動作について説明する。
【００８８】
クリーニングユニット５０のクリーニング動作では、クリーニングローラ１７は、装置本体２が備える図示しない本体電極からバイアスが印加され、感光ドラム１４の表面電位よりも高い正極性に帯電される。また、回収ローラ５２は、図示しない本体電極からバイアスが印加され、クリーニングローラ１７よりも高い正極性に帯電される。
【００８９】
そして、クリーニングローラ１７は、感光ドラム１４上に付着している紙粉を、感光ドラム１４から回収する。その後、回収ローラ５２は、クリーニングローラ１７に回収された紙粉を、クリーニングローラ１７から回収する。次いで、スポンジスクレーパ５４が、回収ローラ５２上の紙粉を掻き落とす。これによって、紙粉が、フレーム本体５５内に貯留される。
（４）ライトガイド
ライトガイド１８は、感光ドラム１４を除電するための光を、後述する光源９０から感光ドラム１４の表面に導くように構成されている。ライトガイド１８は、クリーニングフレーム５１のライトガイド支持部５６に支持されており、クリーニングフレーム５１を介して、クリーナー収容部３５に支持されている。
【００９０】
ライトガイド１８は、例えば、無色透明のアクリル樹脂からなる。ライトガイド１８は、図５Ｂに示すように、略Ｌ字の棒状を有しており、第１部分７０と、第２部分７１と、第３部分の一例としての光路変換面７２とを有している。
【００９１】
第１部分７０は、ライトガイド１８の右端部であって、図７Ｃに示すように、前上方および後下方を結ぶ方向に延びる略円柱形状を有している。つまり、第１部分７０は、左右方向と直交する方向に延びている。また、第１部分７０は、入射面７０Ａを有している。
【００９２】
入射面７０Ａは、第１部分７０の後下方の端面であって、図５Ｂに示すように、前上方および後下方を結ぶ方向と直交する平坦面である。
【００９３】
第２部分７１は、左右方向に延びる略棒状を有している。第２部分７１の左右方向の寸法は、ライトガイド支持部５６の左右方向の寸法よりも大きく、第２部分７１の上下方向の寸法は、ライトガイド支持部５６の上下方向の内寸と略同じである。また、第２部分７１の右端部は、第１部分７０の前上端部に接続されている。
【００９４】
また、第２部分７１は、図４に示すように、側面視略矩形状を有しており、具体的には、円弧面７５と、上面７６と、下面７７と、背面７８とを有している。
【００９５】
円弧面７５は、第２部分７１の前面であって、前方に向かって膨出する側面視略半円弧形状の曲面である。上面７６は、第２部分７１の上面であって、円弧面７５の上端部から連続して、後方に向かって延びる平坦面である。下面７７は、第２部分７１の下面であって、円弧面７５の下端部から連続して、後方に向かって延びる平坦面である。
【００９６】
背面７８は、第２部分７１の後面であって、上面７６および下面７７の後端部間を上下方向に沿って連結する平坦面である。背面７８は、図５Ａに示すように、粗面部７９を有している。
【００９７】
粗面部７９は、背面７８の上下方向略中央部分に配置されている。粗面部７９は、背面７８から前方に向かって窪んでおり、その窪んだ部分に微小な凹凸を有する粗面（梨地面）として構成されている。このような粗面部７９は、例えば、シボ加工（エッチング加工）などにより形成される。なお、図５Ａでは、粗面部７９を、周囲の背面７８から区別するため、粗面部７９にハッチングが付されている。
【００９８】
また、粗面部７９は、左右方向に延びており、その左右方向の寸法は、背面７８の左右方向の寸法に対して、例えば、略９／１０である。粗面部７９は、詳しくは、最小幅部分８３と、漸増部分８４と、最大幅部分８５と、漸減部分８６とを有している。
【００９９】
最小幅部分８３は、粗面部７９の右方部分であって、粗面部７９の右端縁から左方に向かって、粗面部７９の左右方向の略中央部分まで延びている。つまり、最小幅部分８３の左右方向の寸法は、粗面部７９の左右方向の寸法に対して、略１／２である。最小幅部分８３の上下方向の寸法は、背面７８の上下方向の寸法に対して、例えば、略１／３であり、最小幅部分８３の左右方向の全体にわたって一定である。なお、最小幅部分８３の右端縁、つまり粗面部７９の右端縁は、第２部分７１の右端部に対して、左方に間隔を空けて配置されている。
【０１００】
漸増部分８４は、最小幅部分８３の左方に隣接配置されており、最小幅部分８３の左端部から連続して、左方に向かって延びている。漸増部分８４は、左方に向かうにつれて、上下方向の寸法が大きくなるように広がっている。漸増部分８４の左右方向の寸法は、背面７８の左右方向の寸法に対して、略１／７である。
【０１０１】
最大幅部分８５は、漸増部分８４の左方に隣接配置されており、漸増部分８４の左端部から連続して、左方に向かって延びている。最大幅部分８５の左右方向の寸法は、背面７８の左右方向の寸法に対して、略１／４である。最大幅部分８５の上下方向の寸法は、背面７８の上下方向の寸法に対して、例えば、略９／１０であり、最大幅部分８５の左右方向の全体にわたって一定である。
【０１０２】
漸減部分８６は、粗面部７９の左端部であって、最大幅部分８５の左方に隣接配置されている。漸減部分８６は、最大幅部分８５の左端部から連続して、左方に向かって延びており、左方に向かうにつれて上下方向の寸法が小さくなるように狭まっている。漸減部分８６の左右方向の寸法は、粗面部７９の左右方向の寸法に対して、略１／１０である。なお、漸減部分８６の左端縁、つまり粗面部７９の左端縁は、第２部分７１の左端面に対して、右方に間隔を空けて配置されている。
【０１０３】
光路変換面７２は、図５Ｂに示すように、第１部分７０と第２部分７１との接続部分に配置されており、第１部分７０と第２部分７１との接続部分における右端部が、左右方向に対して、略４５°傾斜するように切り欠かれている。つまり、光路変換面７２は、第１部分７０と第２部分７１との間に配置されており、左右方向に対して略４５°傾斜する傾斜面である。光路変換面７２は、前上方および後下方を結ぶ方向から見て第１部分７０と一致し、左右方向から見て第２部分７１と一致する。
【０１０４】
そして、ライトガイド１８は、図４に示すように、第２部分７１がライトガイド支持部５６に収容されることにより、クリーニングローラ１７の下方において、クリーニングフレーム５１に支持されている。これによって、第２部分７１は、感光ドラム１４の後方に間隔を空けて向かい合っている。
【０１０５】
また、第１部分７０および光路変換面７２は、図７Ｂに示すように、ライトガイド支持部５６の右端部よりも右方に位置している。そして、第１部分７０および光路変換面７２は、クリーナー収容部３５内において、収容部底壁３６の傾斜部３６Ｂの前上方に間隔を空けて配置されている。そして、第１部分７０の入射面７０Ａは、傾斜部３６Ｂの開口部３７と、前上方および後下方を結ぶ方向に向かい合っている。
【０１０６】
４．装置本体の詳細
装置本体２は、図１および図６Ａに示すように、搬送ガイド部８９と、光源９０とを備えている。
【０１０７】
搬送ガイド部８９は、装置本体２内において、加圧ローラ２７の前方に配置されている。搬送ガイド部８９は、左右方向に延びる板状を有しており、その前後方向の略中央部分が下方に向かって湾曲している。
【０１０８】
光源９０は、図６Ａおよび図６Ｂに示すように、装置本体２内において、搬送ガイド部８９に対して、右方に配置されている。光源９０は、固定板８７と、移動ユニット１０１とを備えている。
【０１０９】
固定板８７は、光源９０の下端部であって、前後方向に延びる底面視略矩形の板状を有している。固定板８７は、貫通穴８８を有している。貫通穴８８は、固定板８７の前後方向略中央に配置されている。貫通穴８８は、左右方向に延びる底面視略矩形状を有しており、固定板８７を上下方向に貫通している。そして、固定板８７は、装置本体２に相対移動不能に固定されている。
【０１１０】
移動ユニット１０１は、固定板８７の上面に配置されており、支持部の一例としての支持フレーム９１と、出射部の一例としての発光ユニット９２とを備えている。
【０１１１】
支持フレーム９１は、台座部９３と、第２係合部の一例としての挿入部９４とを備えている。
【０１１２】
台座部９３は、支持フレーム９１の後下方部分であって、台座本体９３Ａと、突起部９３Ｂとを備えている。
【０１１３】
台座本体９３Ａは、左右方向に延びる略四角柱形状を有している。詳しくは、台座本体９３Ａの下面は、前後方向に沿って延び、台座本体９３Ａの前上面は、台座本体９３Ａの下面の前端部から屈曲して後上方に向かって延びている。また、台座本体９３Ａの後上面は、台座本体９３Ａの前上面の上端部から屈曲して後下方に向かって延び、台座本体９３Ａの後面は、台座本体９３Ａの後上面の下端部から屈曲して下方に向かって延び、台座部９３の下面の後端部に接続されている。
【０１１４】
また、台座本体９３Ａの左右方向の寸法は、１対のリブ３８の左右方向の間の間隔よりも大きい。
【０１１５】
突起部９３Ｂは、図６Ｂに示すように、台座本体９３Ａの下面における前後方向の略中央に配置されている。突起部９３Ｂは、左右方向に延びる底面視略矩形状を有しており、台座本体９３Ａの下面から下方に向かって突出している。突起部９３Ｂの前後方向の寸法は、貫通穴８８の前後方向の寸法と略同じであり、突起部９３Ｂの左右方向の寸法は、貫通穴８８の左右方向の寸法よりも小さい。また、突起部９３Ｂの上下方向の寸法は、固定板８７の上下方向の寸法よりも大きい。
【０１１６】
挿入部９４は、図６Ａに示すように、支持フレーム９１の前上方部分であって、台座部９３の前上面に配置されている。挿入部９４は、図７Ｃに示すように、後下方に向かって開放される略ボックス形状を有しており、図６Ａに示すように、前下方および後上方を結ぶ方向に延びる側面視略矩形状を有している。挿入部９４の左右方向の寸法は、図７Ｃに示すように、台座本体９３Ａの左右方向の寸法よりも小さく、１対のリブ３８の左右方向の間の間隔と略同じである。
【０１１７】
また、挿入部９４は、図６Ａに示すように、前上壁９４Ａを有している。前上壁９４Ａは、挿入部９４の前上方部分であって、前下方および後上方を結ぶ方向に延びる略板状を有している。前上壁９４Ａは、挿通穴９５と、第２傾斜部の一例としての切欠面１００とを有している。
【０１１８】
挿通穴９５は、前上方から見て略円形状を有しており、前上壁９４Ａを前上方および後下方を結ぶ方向に貫通している。
【０１１９】
切欠面１００は、図７Ｂに示すように、前上壁９４Ａの左右両端部のそれぞれに配置されている。切欠面１００は、前上壁９４Ａの左右方向端縁を面取りするように切り欠かいており、前上壁９４Ａの前上面から、左右方向の外方に向かうにつれて後下方に向かって傾斜している。
【０１２０】
発光ユニット９２は、挿入部９４内に収容されており、基板部９６と、筒部９７と、発光部９８と、レンズ部９９とを備えている。
【０１２１】
基板部９６は、略板状を有しており、図示しない本体基板と電気的に接続されている。筒部９７は、前上方および後下方を結ぶ方向に延びる略円筒形状を有しており、基板部９６の前上面に配置されている。
【０１２２】
発光部９８は、筒部９７内において、基板部９６に固定されており、例えば、ＬＥＤを備えるＬＥＤライトである。発光部９８は、図７Ｃに示すように、基板部９６と電気的に接続されており、後下方から前上方に向かう方向である出射方向Ｘに、光を出射するように構成されている。
【０１２３】
レンズ部９９は、筒部９７内において発光部９８の前上方に配置されており、筒部９７の前上端部における内周面に支持されている。レンズ部９９は、例えば、前上方に向かって膨出する凸レンズである。
【０１２４】
このような発光ユニット９２は、筒部９７の前上方端部が挿通穴９５に挿入されるように、挿入部９４内に収容されている。これによって、発光ユニット９２は、支持フレーム９１に支持されている。また、挿入部９４および発光ユニット９２は、台座部９３に対して装着方向Ｙの上流に配置されている。なお、筒部９７の前上端部は、図６Ａに示すように、前上壁９４Ａよりも僅かに出射方向Ｘの下流に突出している。
【０１２５】
そして、移動ユニット１０１は、図６Ｂに示すように、台座部９３の突起部９３Ｂが、固定板８７の貫通穴８８に挿入されるように、固定板８７の上面に配置されている。
【０１２６】
また、突起部９３Ｂは、貫通穴８８に挿入された状態で、左右方向に遊びを有している。そのため、移動ユニット１０１は、突起部９３Ｂの遊びの分、左右方向に移動可能である。
【０１２７】
５．ドラムカートリッジの装置本体に対する着脱動作
次に、ドラムカートリッジ１１の装置本体２に対する離脱動作および装着動作について説明する。
【０１２８】
ドラムカートリッジ１１を装置本体２に装着するには、図１に示すように、まず、ユーザは、ドラムカートリッジ１１に現像カートリッジ１２を装着して、プロセスカートリッジ３を構成する。
【０１２９】
そして、プロセスカートリッジ３を、本体開口６を介して、前方から後方に向かう装着方向Ｙに沿って、装置本体２に挿入する。
【０１３０】
このとき、プロセスカートリッジ３が、左右方向にガタつくと、図７Ｂに示すように、リブ３８の傾斜面３９が、挿入部９４の対応する切欠面１００と接触する。具体的には、プロセスカートリッジ３が左方にずれると、左方のリブ３８の傾斜面３９が、挿入部９４の左方の切欠面１００と接触する。一方、プロセスカートリッジ３が右方にずれると、右方のリブ３８の傾斜面３９が、挿入部９４の右方の切欠面１００と接触する。なお、図７Ｂでは、プロセスカートリッジ３が左方にずれ、左方のリブ３８の傾斜面３９が、挿入部９４の左方の切欠面１００と接触した場合を示している。
【０１３１】
次いで、プロセスカートリッジ３が装着方向Ｙの下流に向かって移動すると、その移動に伴って、リブ３８の傾斜面３９は、対応する切欠面１００と摺擦するとともに、対応する切欠面１００を左右方向の内方に向かって押圧する。
【０１３２】
すると、光源９０の移動ユニット１０１は、切欠面１００が押圧されることにより、左右方向の内方に向かって移動し、挿入部９４が、図７Ｃに示すように、１対のリブ３８の間に挿入される。
【０１３３】
これによって、挿入部９４が１対のリブ３８の間に挟まれ、挿入部９４と１対のリブ３８とが係合する。つまり、傾斜面３９および切欠面１００のそれぞれは、互いに、１対のリブ３８と挿入部９４との係合をガイドする。
【０１３４】
以上によって、プロセスカートリッジ３の装置本体２に対する装着動作、つまり、ドラムカートリッジ１１の装置本体２に対する装着動作が完了する。
【０１３５】
ドラムカートリッジ１１が装置本体２に装着された状態において、光源９０は、図７Ｃに示すように、ドラムカートリッジ１１の傾斜部３６Ｂおよび１対のリブ３８に対して後下方、つまり、装着方向Ｙに並ぶように装着方向Ｙの下流に配置されている。
【０１３６】
そして、光源９０の挿入部９４、つまり、光源９０の装着方向Ｙの上流側の端部は、１対のリブ３８の間に挟まれるように挿入されている。これによって、移動ユニット１０１は、左右方向の移動が規制されている。
【０１３７】
また、収容部底壁３６の傾斜部３６Ｂは、挿入部９４の前上壁９４Ａに対して、出射方向Ｘに間隔を空けて向かい合い、傾斜部３６Ｂの開口部３７は、発光ユニット９２のレンズ部９９と、出射方向Ｘから見て重なるように配置される。
【０１３８】
そのため、第１部分７０および発光部９８は、開口部３７およびレンズ部９９を挟むように、出射方向Ｘに間隔を空けて向かい合っており、発光ユニット９２は、第１部分７０よりも装着方向Ｙの下流に配置されている。つまり、光源９０は、ライトガイド１８よりも装着方向Ｙの下流に配置されている。
【０１３９】
そして、発光ユニット９２は、移動ユニット１０１の左右方向の移動が規制されていることから、ライトガイド１８の第１部分７０に対して相対的に位置決めされている。
【０１４０】
また、ドラムカートリッジ１１を装置本体２から離脱するには、図１に示すように、上記の装着動作と逆の手順に操作する。具体的には、ユーザは、プロセスカートリッジ３を、本体開口６を介して前方に向かって引き出す。これによって、ドラムカートリッジ１１は、プロセスカートリッジ３として、本体開口６を介して、装置本体２から離脱される。以上によって、ドラムカートリッジ１１の装置本体２からの離脱が完了する。
【０１４１】
６．除電動作
上記の画像形成動作において、感光ドラム１４の周面には、感光ドラム１４からトナー像を用紙Ｐに転写した後に、電荷が残留する場合がある。そこで、感光ドラム１４の周面に残留する電荷を除去する除電動作について説明する。
【０１４２】
感光ドラム１４の除電動作では、光源９０の発光部９８は、図７Ｃに示すように、図示しない基板から電力が供給されることにより、感光ドラム１４を除電するための光を、出射方向Ｘに沿って出射する。すると、発光部９８からの光は、レンズ部９９を透過した後、傾斜部３６Ｂの開口部３７を通過し、第１部分７０の入射面７０Ａから第１部分７０内に入射する。
【０１４３】
第１部分７０内に入射された光は、図５Ｂに示すように、第１部分７０内を出射方向Ｘに沿って、前上方に進行し、光路変換面７２に到達する。
【０１４４】
すると、光路変換面７２は、第１部分７０内を通過した光を、光の進行方向が前上方から左方に変更されるように、略９０°反射する。これによって、第１部分７０内を通過した光は、第２部分７１に向かうように導かれる。その後、第２部分７１内を進行する光は、第２部分７１内を左方に向かって進行する。
【０１４５】
このとき、背面７８の粗面部７９は、図４に示すように、第２部分７１内を進行する光を、円弧面７５に向かって前方に反射する。そのため、粗面部７９に反射された光は、前方に向かって進行し、円弧面７５を透過した後、感光ドラム１４の周面を照射する。
【０１４６】
これによって、感光ドラム１４の周面に残存する電荷が除去される。
【０１４７】
７．作用効果
（１）光源９０の移動ユニット１０１は、図７Ｂおよび図７Ｃに示すように、左右方向に移動可能である。そのため、ドラムカートリッジ１１が、装置本体２に装着されるときに、左右方向にガタついても、光源９０がドラムカートリッジ１１のガタつきを吸収でき、１対のリブ３８と光源９０の挿入部９４とを確実に係合させることができる。
【０１４８】
そして、ドラムカートリッジ１１が装置本体２に装着された状態で、１対のリブ３８と挿入部９４とが係合することにより、移動ユニット１０１の左右方向の移動が規制される。これによって、ライトガイド１８と発光ユニット９２とが相対的に位置決めされる。そのため、ドラムカートリッジ１１が装置本体２に装着された状態で、ライトガイド１８と光源９０との相対的な位置精度の向上を図ることができる。
【０１４９】
また、光源９０は、ドラムカートリッジ１１が装置本体２に装着された状態で、ライトガイド１８よりも装着方向Ｙの下流に配置される。そのため、光源９０が、ライトガイド１８と左右方向に並ぶ場合と比較して、プリンタ１の左右方向の小型化を図ることができる。
（２）１対のリブ３８は、図３に示すように、左右方向に互いに間隔を空けて配置されている。そのため、簡易な構成でありながら、１対のリブ３８と挿入部９４とを確実に係合させることができる。
（３）光源９０は、図７Ｃに示すように、装置本体２に装着されるドラムカートリッジ１１に対して、装着方向Ｙの下流に配置されている。また、１対のリブ３８は、ドラムカートリッジ１１における装着方向Ｙの下流部分に配置されている。
【０１５０】
そのため、ドラムカートリッジ１１を装置本体２に装着することにより、１対のリブ３８を、光源９０の挿入部９４と確実に係合させることができる。
（４）１対のリブ３８は、図３に示すように、ライトガイド１８を支持するドラムフレーム１３に備えられている。そのため、１対のリブ３８とライトガイド１８との相対的な位置関係を一定に保つことができる。
【０１５１】
その結果、図７Ｃに示すように、１対のリブ３８と挿入部９４とが係合したときに、ライトガイド１８と光源９０との相対的な位置決め精度を確実に向上させることができる。
（５）挿入部９４は、図７Ｃに示すように、発光ユニット９２を支持する支持フレーム９１に備えられている。そのため、挿入部９４と発光ユニット９２との相対的な位置関係を一定に保つことができる。
【０１５２】
その結果、１対のリブ３８と挿入部９４とが係合したときに、ライトガイド１８と発光ユニット９２との相対的な位置決め精度をより一層確実に向上させることができる。
（６）ドラムカートリッジ１１が装置本体２に装着されるときに、１対のリブ３８の傾斜面３９は、図７Ｂに示すように、１対のリブ３８と挿入部９４との係合をガイドする。そのため、１対のリブ３８と挿入部９４とを円滑に係合させることができる。
（７）ドラムカートリッジ１１が装置本体２に装着されるときに、挿入部９４の切欠面１００は、図７Ｂに示すように、１対のリブ３８と挿入部９４との係合をガイドする。そのため、１対のリブ３８と挿入部９４とをより一層円滑に係合させることができる。
（８）ライトガイド１８の第１部分７０は、図５Ｂに示すように、光源９０から入射された光を出射方向Ｘへ進むように導き、ライトガイド１８の光路変換面７２は、第１部分７０を通過した光を、第２部分７１に向かうように、光の進む方向を変更する。その後、ライトガイド１８の第２部分７１は、図４に示すように、その内部を進行する光を感光ドラム１４の表面に導き、感光ドラム１４の表面の電荷が除去される。
【０１５３】
つまり、光源９０が、ドラムカートリッジ１１が装置本体２に装着された状態で、ライトガイド１８よりも装着方向Ｙの下流に配置されても、ライトガイド１８の第１部分７０を、光源９０と、出射方向Ｘに並ぶように配置することにより、感光ドラム１４の表面の電荷を除去できる。
【０１５４】
そのため、プリンタ１の左右方向の小型化を図ることができながら、感光ドラム１４の表面の電荷を確実に除去できる。
【０１５５】
８．第２実施形態
次に、図８Ａ〜図８Ｃを参照して、本発明の画像形成装置の第２実施形態を説明する。なお、第２実施形態において、上記した第１実施形態と同様の部材には同様の符号を付し、その説明を省略する。
【０１５６】
第２実施形態では、光源９０は、固定部１１１と、ばね部材１１２と、移動ユニット１２０とを備えている。
【０１５７】
固定部１１１は、図８Ｂおよび図８Ｃに示すように、光源９０の後下方部分であって、固定板１２１と、軸部１１５と、１対の規制部１２２とを一体に有している。
【０１５８】
固定板１２１は、略円板状を有しており、図８Ｂに示すように、前下方および後上方を結ぶ方向に沿うように配置されている。そして、固定板１２１は装置本体２に相対移動不能に固定されている。
【０１５９】
軸部１１５は、固定板１２１の前上面に配置されている。軸部１１５は、前上方および後下方を結ぶ方向に延びる略円柱形状を有しており、固定板１２１の径方向略中央から、前上方に向かって延びている。
【０１６０】
１対の規制部１２２は、図８Ｃに示すように、固定板１２１の前上面において、軸部１１５に対して左右両方に間隔を空けて１つずつ配置されている。規制部１２２は、側面視略Ｌ字の板状を有しており、本体部１２２Ａと、規制突起１２２Ｂとを一体に有している。本体部１２２Ａは、固定板１２１から前上方に向かって延びている。規制突起１２２Ｂは、本体部１２２Ａの前上端部から左右方向の外方に向かって突出している。
【０１６１】
ばね部材１１２は、図８Ｂに示すように、前上方および後下方を結ぶ方向に延びる空芯コイル状を有している。ばね部材１１２の内径は、軸部１１５の外径と略同じである。そして、ばね部材１１２は、ばね部材１１２の後下方部分に軸部１１５が挿入されることにより、固定部１１１に支持されている。
【０１６２】
移動ユニット１２０は、光源９０の前上方部分であって、支持フレーム１１０と、発光ユニット９２とを備えている。
【０１６３】
支持フレーム１１０は、前上方および後下方を結ぶ方向に延びる略円筒形状を有しており、大径部１１７と、第２係合部の一例としての小径部１１８とを一体に有している。
【０１６４】
大径部１１７は、支持フレーム１１０の後下方部分であって、前上方および後下方を結ぶ方向に延びる略円筒形状を有している。大径部１１７の前上端部は、閉鎖されている。また、大径部１１７は、図８Ｂおよび図８Ｃに示すように、連通口１２４と、１対の抜止部１１４とを有している。
【０１６５】
連通口１２４は、図８Ｂに示すように、大径部１１７の前上端部の径方向略中央に配置されている。連通口１２４は、前上方から見て略円形状を有しており、大径部１１７の前上端部を前上方および後下方を結ぶ方向に貫通している。
【０１６６】
１対の抜止部１１４は、図８Ｃに示すように、大径部１１７の内周面における後下方部分において、左右方向に間隔を空けて向かい合うように配置されている。抜止部１１４は、断面略矩形状を有しており、大径部１１７の内周面から、径方向の内方に向かって突出している。
【０１６７】
小径部１１８は、図８Ｂに示すように、支持フレーム１１０の前上方部分であって、大径部１１７と中心軸線を共有する略円筒形状を有している。小径部１１８は、大径部１１７の前上端部における連通口１２４の周縁から前上方に向かって延びている。小径部１１８の外径は、大径部１１７の外径よりも小さい。また、小径部１１８の前上端部は、閉鎖されている。小径部１１８は、貫通穴１１９と、第１傾斜面の一例としての切欠面１２５とを有している。
【０１６８】
貫通穴１１９は、小径部１１８の前上端部の径方向略中央に配置されている。貫通穴１１９は、前上方から見て略円形状を有しており、小径部１１８の前上端部を前上方および後下方を結ぶ方向に貫通している。
【０１６９】
切欠面１２５は、小径部１１８の前上端部における径方向外方端縁に配置されている。切欠面１２５は、小径部１１８の前上端部の径方向外方端縁を面取りするように切り欠かいており、小径部１１８の前上面から、径方向の外方に向かうにつれて後下方に向かって傾斜している。
【０１７０】
発光ユニット９２は、筒部９７の前上端部が貫通穴１１９に挿通されるように、支持フレーム１１０内に収容されている。
【０１７１】
また、発光ユニット９２の基板部９６は、略円板形状を有しており、基板部９６の外径は、大径部１１７の内径と略同じである。また、基板部９６は、突部１１６を有している。
【０１７２】
突部１１６は、基板部９６の後下面の径方向略中央に配置されている。突部１１６は、基板部９６の後下面から後下方に向かって突出する略円柱形状を有している。突部１１６の外径は、軸部１１５の外径と略同じである。
【０１７３】
そして、移動ユニット１２０は、突部１１６がばね部材１１２の前上端部に挿入されることにより、ばね部材１１２を介して、固定部１１１に支持されている。これにより、移動ユニット１２０は、ばね部材１１２により、常には、前上方に向かって付勢されている。
【０１７４】
また、１対の抜止部１１４のそれぞれは、図８Ｃに示すように、対応する規制部１２２の規制突起１２２Ｂの後下方に配置され、大径部１１７の内周面は、規制突起１２２Ｂに対して、大径部１１７の径方向に間隔を空けて配置されている。そのため、移動ユニット１２０は、大径部１１７の内周面と規制突起１２２Ｂとの間の間隔（遊び）分、左右方向に移動可能である。
【０１７５】
また、ドラムフレーム１３は、小径部１１８に対応して、第１係合部の一例としての係合筒１１３を有している。
【０１７６】
係合筒１１３は、図８Ｂに示すように、ドラムフレーム１３の傾斜部３６Ｂの後下面に配置されている。係合筒１１３は、前上方および後下方を結ぶ方向に延びる略円筒形状を有しており、後下方から見て開口部３７を囲むように、傾斜部３６Ｂから後下方に向かって突出している。係合筒１１３の内径は、小径部１１８の外径と略同じであり、係合筒１１３の外径は、大径部１１７の外径よりも小さい。また、係合筒１１３は、ガイド面１２３を有している。
【０１７７】
ガイド面１２３は、係合筒１１３の内周面における後下端部に配置されている。ガイド面１２３は、係合筒１１３の後下端縁から、前上方に向かうにつれて、係合筒１１３の径方向の内方に向かって傾斜している。
【０１７８】
このような第２実施形態において、ドラムカートリッジ１１が、図１に示すように、装装置本体２に装着されるときに、左右方向にガタつくと、係合筒１１３のガイド面１２３が、小径部１１８の切欠面１２５と接触する。
【０１７９】
その後、ドラムカートリッジ１１の移動に伴って、係合筒１１３のガイド面１２３は、小径部１１８の切欠面１２５と摺擦するとともに、切欠面１２５を左右方向の内方に向かって押圧する。
【０１８０】
すると、光源９０の移動ユニット１２０は、図８Ｃに示すように、左右方向の内方に向かって移動し、小径部１１８が係合筒１１３内に挿入される。これによって、小径部１１８は、小径部１１８の径方向への移動が規制される。つまり、ガイド面１２３および切欠面１２５のそれぞれは、互いに係合筒１１３と小径部１１８との係合をガイドする。
【０１８１】
これによって、発光ユニット９２とライトガイド１８の第１部分７０とは相対的に位置決めされる。そのため、このような第２実施形態においても、上記の第１実施形態と同様の作用効果を奏することができる。
【０１８２】
また、移動ユニット１２０は、ばね部材１１２により前上方に向かって付勢されており、大径部１１７の前上端部と、係合筒１１３の後下端部とが接触している。そのため、発光ユニット９２とライトガイド１８との相対的な位置精度の向上をより一層図ることができる。
【０１８３】
９．第３実施形態
次に、図９Ａおよび図９Ｂを参照して、本発明の画像形成装置の第３実施形態を説明する。なお、第３実施形態において、上記した第１実施形態と同様の部材には同様の符号を付し、その説明を省略する。
【０１８４】
第３実施形態では、ライトガイド１８が左右方向に移動可能に構成されている。
【０１８５】
詳しくは、第３実施形態において、ライトガイド支持部５６は、側板部１２８を備えており、ライトガイド１８の第２部分７１は、側板部１２８に対して右方に間隔を空けて配置されている。
【０１８６】
側板部１２８は、ライトガイド支持部５６の左端部であって、ライトガイド支持部５６の左端部を閉鎖している。そして、ライトガイド１８は、第２部分７１の左端面が側板部１２８と左右方向に間隔を隔てて向かい合うように、ライトガイド支持部５６に支持されている。
【０１８７】
これによって、ライトガイド１８は、第２部分７１の左端面と側板部１２８との左右方向の間の隙間Ｓの分、左右方向に移動可能である。
【０１８８】
なお、第３実施形態における第１部分７０は、前上方および後下方を結ぶ方向の寸法が、第１実施形態における第１部分７０よりも大きくなるように構成されており、開口部３７に挿通されている。また、開口部３７は、第１部分７０の左右方向の移動を許容する寸法を有している。
【０１８９】
一方、光源９０は、装置本体２に相対移動不能に固定されている。また、光源９０の挿入部９４は、第２係合部の一例としての挿通穴１２７と、第２傾斜部の一例としてのガイド面１２６とを有している。
【０１９０】
挿通穴１２７は、挿入部９４の前上壁９４Ａに配置されている。挿通穴１２７は、前上方から見て、上下方向に延びる楕円形状を有しており、前上壁９４Ａを前上方および後下方を結ぶ方向に貫通している。挿通穴１２７の短径は、第１部分７０の外径と略同じであり、挿通穴１２７の長径は、第１部分７０の外径よりも大きい。
【０１９１】
ガイド面１２６は、前上壁９４Ａにおける挿通穴１２７の周縁に配置されている。ガイド面１２６は、挿通穴１２７の周縁から、挿通穴１２７の径方向の内方に向かうにつれて、後下方に向かって傾斜している。
【０１９２】
このような第３実施形態において、ドラムカートリッジ１１が、図１に示すように、装置本体２に装着されるときに、左右方向にガタつくと、ライトガイド１８の第１部分７０の後下端部が、前上壁９４Ａのガイド面１２６と接触する。
【０１９３】
その後、ドラムカートリッジ１１の移動に伴って、ガイド面１２６は、ライトガイド１８の第１部分７０の後下端部と摺擦するとともに、第１部分７０を左右方向の内方に向かって押圧する。
【０１９４】
すると、ライトガイド１８は、図９Ｂに示すように、左右方向に移動し、第１部分７０の後下端部が、挿通穴１２７内に挿入される。このとき、第１部分７０と挿通穴１２７の左右両端縁とが係合する。これによって、第１部分７０は、左右方向への移動が規制される。つまり、第１部分７０は、第１係合部の一例として作用し、ガイド面１２６は、第１部分７０と挿通穴１２７の周縁との係合をガイドする。
【０１９５】
これによって、発光ユニット９２とライトガイド１８の第１部分７０とは相対的に位置決めされる。
【０１９６】
このようにライトガイド１８が、図９Ａに示すように、左右方向に移動可能であるので、ドラムカートリッジ１１が、装置本体２に装着されるときに、左右方向にガタついても、ライトガイド１８が感光カートリッジのガタつきを吸収できる。そのため、第１部分７０と挿通穴１２７の周縁とを確実に係合させることができる。
【０１９７】
そして、ドラムカートリッジ１１が装置本体２に装着された状態で、第１部分７０と挿通穴１２７の周縁とが係合することにより、ライトガイド１８の左右方向の移動が規制される。そのため、ライトガイド１８と発光ユニット９２とが相対的に位置決めされる。その結果、ドラムカートリッジ１１が装置本体２に装着された状態で、ライトガイド１８と発光ユニット９２との相対的な位置精度の向上を図ることができる。
【０１９８】
また、挿入部９４は、図９Ａに示すように、ガイド面１２６を有している。そのため、ドラムカートリッジ１１が装置本体２に装着されるときに、ガイド面１２６が、第１部分７０と、挿通穴１２７の周縁との係合をガイドする。そのため、第１部分７０と挿通穴１２７の周縁とをより一層円滑に係合させることができる。
【０１９９】
また、ライトガイド１８の第１部分７０は、図９Ｂに示すように、ドラムカートリッジ１１における装着方向Ｙの下流部分に配置されている。そのため、ドラムカートリッジ１１を装置本体２に装着することにより、第１部分７０を、挿入部９４の挿通穴１２７に確実に挿入させることができる。
【０２００】
１０．変形例
上記の実施形態では、プロセスカートリッジ３は、ドラムカートリッジ１１と、ドラムカートリッジ１１に着脱可能な現像カートリッジ１２とから構成されるが、プロセスカートリッジ３は、ドラムカートリッジ１１と現像カートリッジ１２とを一体に有していてもよい。この場合、プロセスカートリッジ３が、感光体カートリッジの一例として対応する。
【０２０１】
また、上記した感光ドラム１４に代えて、例えば、感光ベルトなどの感光体を適用することもできる。
【０２０２】
これら変形例によっても、上記の第１実施形態〜第３実施形態と同様の作用効果を奏することができる。なお、上記の第１実施形態〜第３実施形態および変形例は、適宜組み合わせることができる。
【符号の説明】
【０２０３】
１      プリンタ
２      装置本体
１１    ドラムカートリッジ
１３    ドラムフレーム
１４    感光ドラム
１８    ライトガイド
３８    １対のリブ
３９    傾斜面
７０    第１部分
７１    第２部分
７２    光路変換面
９０    光源
９１    支持フレーム
９２    発光ユニット
９４    挿入部
１００  切欠面
１１３  係合筒
１１８  小径部
１２３  ガイド面
１２５  切欠面
１２６  ガイド面
１２７  挿通穴
Ｙ      ドラムカートリッジの装着方向
【図１】
2015194570.tif 000003
【図２】
2015194570.tif 000004
【図３】
2015194570.tif 000005
【図４】
2015194570.tif 000006
【図５】
2015194570.tif 000007
【図６】
2015194570.tif 000008
【図７】
2015194570.tif 000009
【図８】
2015194570.tif 000010
【図９】
2015194570.tif 000011